(57)【要約】【課題】被覆電線の曲げの影響が端子金具と芯線との接続部に及ぶのを抑制する。【解決手段】コネクタＡは、端子金具１５の後端部に形成され、絶縁被覆１３と非接触の状態で芯線１２の露出領域に圧着されたバレル部２３と、芯線１２のうちバレル部２３との圧着部を含む露出領域１４の全体と、絶縁被覆１３の前端部とを液密状に覆うモールド部３０と、端子金具１５の全体と、モールド部３０のうち絶縁被覆１３の前端よりも前方の領域のみとを収容する端子収容室３６が形成されたハウジング３５と、モールド部３０のうちハウジング３５外への突出部３２の変形を抑制する補強手段３３とを備える。【選択図】図３
2017076455.tif 000002
【特許請求の範囲】
【請求項１】
芯線と、前記芯線を包囲する絶縁被覆とを有していて、前端部では前記芯線が露出されている被覆電線と、
端子金具と、
前記端子金具の後端部に形成され、前記被覆電線の前端部に対し包囲するように圧着されたバレル部と、
前記被覆電線のうち前記バレル部との圧着部を含む前端部を液密状に覆うモールド部と、
前記端子金具の全体と、前記モールド部の前端側領域とを収容する端子収容室が形成されたハウジングと、
前記モールド部のうち前記ハウジング外へ突出した突出部に形成され、前記突出部の剛性を高める補強手段とを備えていることを特徴とするコネクタ。
【請求項２】
前記突出部の肉厚を、前記モールド部のうち前記端子収容室内に収容されている収容部の肉厚よりも厚くすることで、前記補強手段が構成されていることを特徴とする請求項１記載のコネクタ。
【請求項３】
前記突出部の外周に形成した凸部によって前記補強手段が構成されていることを特徴とする請求項１又は請求項２記載のコネクタ。
【請求項４】
前記ハウジングには、複数の前記端子収容室が並列に配置されて形成されており、
隣り合う前記突出部の外面同士を当接させることで、前記補強手段が構成されていることを特徴とする請求項１ないし請求項３のいずれか１項に記載のコネクタ。
【請求項５】
隣り合う前記突出部の外面同士が、凹凸嵌合によって連結されていることを特徴とする請求項４記載のコネクタ。
【請求項６】
前記隣り合う突出部の外面同士が、前後方向のリブと前後方向の溝との嵌合によって連結されていることを特徴とする請求項４又は請求項５記載のコネクタ。
【請求項７】
前記バレル部は、前記絶縁被覆と非接触の状態で前記芯線の露出領域に対し包囲するように圧着されており、
前記モールド部が、前記芯線のうち前記バレル部との圧着部を含む露出領域の全体と、前記絶縁被覆の前端部とを液密状に覆っており、
前記端子収容室内には、前記端子金具の全体と、前記モールド部のうち前記絶縁被覆の前端よりも前方の領域のみとが収容されていることを特徴とする請求項１ないし請求項６のいずれか１項記載のコネクタ。
【請求項８】
芯線と、前記芯線を包囲する絶縁被覆とを有していて、前端部では前記芯線が露出されている被覆電線と、
端子金具と、
前記端子金具の後端部に形成され、前記絶縁被覆の前端部に対し包囲するように圧着されたバレル部と、
前記被覆電線のうち前記バレル部との圧着部を含む前端部を液密状に覆うモールド部とを備え、
前記端子金具の全体と、前記モールド部の前端側領域とが、ハウジングに形成された端子収容室に収容されるようになっているものであって、
前記モールド部のうち前記ハウジング外へ突出した突出部に形成され、前記突出部の剛性を高める補強手段を備えていることを特徴とする端子付き電線。
【発明の詳細な説明】
【技術分野】
【０００１】
本発明は、コネクタ及び端子付き電線に関するものである。
【背景技術】
【０００２】
特許文献１には、アルミニウム製の芯線を絶縁被覆で包囲した被覆電線の前端部に、銅製の端子金具のバレル部を圧着によって接続し、芯線と端子金具との接触部分を合成樹脂製のモールド部で液密状に包囲することで防食する技術が開示されている。モールド部は、端子金具の後方において絶縁被覆の前端部まで覆っている。
【０００３】
端子金具には、芯線に圧着されるワイヤバレル部は形成されているが、絶縁被覆に圧着されるインシュレーションバレル部は形成されていない。したがって、ハウジング内に形成されている端子収容室の容積を拡大しなくても、端子金具の全体とモールド部の前端側部分をハウジングの内部に収容することができる。
【先行技術文献】
【特許文献】
【０００４】
【特許文献１】特開２０１２−００３８５６号公報
【発明の概要】
【発明が解決しようとする課題】
【０００５】
端子金具にはインシュレーションバレル部が形成されていないため、モールド部には、防水機能だけでなく、インシュレーションバレル部に替わって被覆電線の曲げの影響をワイヤバレル部に伝えるのを抑制する曲げ抑制機能も求められる。しかし、従来のモールド部は、端子収容室に収容するために極力小径にすることが求められていることから、肉薄とされている。そのため、モールド部の曲げ剛性が低く、モールド部の曲げ抑制機能は不十分であった。
【０００６】
本発明は上記のような事情に基づいて完成されたものであって、被覆電線の曲げの影響が端子金具と芯線との接続部に及ぶのを抑制することを目的とする。
【課題を解決するための手段】
【０００７】
第１の発明のコネクタは、
芯線と、前記芯線を包囲する絶縁被覆とを有していて、前端部では前記芯線が露出されている被覆電線と、
端子金具と、
前記端子金具の後端部に形成され、前記被覆電線の前端部に対し包囲するように圧着されたバレル部と、
前記被覆電線のうち前記バレル部との圧着部を含む前端部を液密状に覆うモールド部と、
前記端子金具の全体と、前記モールド部の前端側領域とを収容する端子収容室が形成されたハウジングと、
前記モールド部のうち前記ハウジング外へ突出した突出部に形成され、前記突出部の剛性を高める補強手段とを備えているところに特徴を有する。
【０００８】
第２の発明の端子付き電線は、
芯線と、前記芯線を包囲する絶縁被覆とを有していて、前端部では前記芯線が露出されている被覆電線と、
端子金具と、
前記端子金具の後端部に形成され、前記絶縁被覆の前端部に対し包囲するように圧着されたバレル部と、
前記被覆電線のうち前記バレル部との圧着部を含む前端部を液密状に覆うモールド部とを備え、
前記端子金具の全体と、前記モールド部の前端側領域とが、ハウジングに形成された端子収容室に収容されるようになっているものであって、
前記モールド部のうち前記ハウジング外へ突出した突出部に形成され、前記突出部の剛性を高める補強手段を備えているところに特徴を有する。
【発明の効果】
【０００９】
第１の発明及び第２の発明によれば、モールド部のうちハウジング外へ突出した突出部の剛性を補強手段によって高めているので、モールド部の突出部が変形し難くなっている。これにより、モールド部よりも後方における被覆電線の曲げの影響が端子金具と芯線との接続部に及ぶのを抑制することができる。
【図面の簡単な説明】
【００１０】
【図１】実施例１のコネクタの斜視図
【図２】コネクタの正面図
【図３】図２のＸ−Ｘ線断面図
【図４】端子付き電線の斜視図
【図５】端子付き電線の側面図
【図６】端子付き電線の断面図
【図７】端子付き電線においてモールド部を形成する前の状態をあらわす斜視図
【図８】端子付き電線においてモールド部を形成する前の状態をあらわす断面図
【図９】端子付き電線においてモールド部を形成する前の状態をあらわす平面図
【図１０】実施例２のコネクタを構成する端子付き電線の斜視図
【図１１】実施例２のコネクタの断面図
【図１２】実施例２のコネクタの平面図
【図１３】実施例３のコネクタの背面図
【図１４】実施例３のコネクタを構成する端子付き電線の斜視図
【図１５】実施例３のコネクタを構成する複数の端子付き電線同士を連結した状態をあらわす斜視図
【発明を実施するための形態】
【００１１】
第１及び第２の発明は、前記モールド部のうち前記ハウジング外への突出部の肉厚を、前記モールド部のうち前記端子収容室内に収容されている収容部の肉厚よりも厚くすることで、前記補強手段が構成されていてもよい。この構成によれば、モールド部の形状を複雑にしなくても、モールド部の剛性を高めることができる。
【００１２】
第１及び第２の発明は、前記モールド部の突出部の外周に形成した凸部によって前記補強手段が構成されていてもよい。この構成によれば、突出部の外周を凹凸形状とすることにより、モールド部の剛性を高めることができる。
第１及び第２の発明は、前記ハウジングには、複数の前記端子収容室が並列に配置されて形成されており、隣り合う前記モールド部の突出部の外面同士を当接させることで、前記補強手段が構成されていてもよい。この構成によれば、モールド部の形状を複雑にしなくても、モールド部の剛性を高めることができる。
【００１３】
第１及び第２の発明は、隣り合う前記モールド部の突出部の外面同士が、凹凸嵌合によって連結されていてもよい。この構成によれば、モールド部の曲げ剛性を、より高めることができる。
第１及び第２の発明は、前記隣り合うモールド部の外面同士が、前後方向のリブと前後方向の溝との嵌合によって連結されていてもよい。この構成によれば、隣り合う端子付き電線を、連結しながら個別に端子収容室に挿入することができる。
【００１４】
第１の発明は、前記バレル部は、前記絶縁被覆と非接触の状態で前記芯線の露出領域に対し包囲するように圧着されており、前記モールド部が、前記芯線のうち前記バレル部との圧着部を含む露出領域の全体と、前記絶縁被覆の前端部とを液密状に覆っており、前記端子収容室内には、前記端子金具の全体と、前記モールド部のうち前記絶縁被覆の前端よりも前方の領域のみとが収容されていてもよい。この構成によれば、端子金具の後端部には、絶縁被覆に圧着されるインシュレーションバレル部が形成されていないので、端子収容室の容積を拡大しなくても、モールド部のうち端子金具を包囲する領域を端子収容室内に収容することができる。
【００１５】
＜実施例１＞
以下、本発明を具体化した実施例１を図１〜図９を参照して説明する。尚、以下の説明において、前後方向については、図３，５，６における右方を前方と定義する。上下方向については、図２，３，５，６にあらわれる向きを、そのまま上方、下方と定義する。本実施例のコネクタＡは、端子付き電線１０と、ハウジング３５とを備えて構成されている。
【００１６】
端子付き電線１０は、被覆電線１１と、端子金具１５と、モールド部３０とを一体化した形態であり、全体として前後方向に細長い導電路を構成する。被覆電線１１は、アルミニウム製又はアルミニウム合金製の芯線１２と、芯線１２を包囲する略円筒状の絶縁被覆１３とから構成されている。被覆電線１１の前端部においては、絶縁被覆１３が所定長さ分だけ剥き取られ、芯線１２が露出している。この芯線１２の露出領域１４（図６，８を参照）の前端部には、後述する端子金具１５が圧着により接続されている。
【００１７】
端子金具１５は、所定形状に打ち抜いた銅製又は銅合金製の板材に曲げ加工等を施して成形したものであり、全体として前後方向に細長い形状をなしている。図７，８に示すように、端子金具１５は、その前端側領域を構成する端子本体部１６と、後端側領域を構成するバレル部２３とから構成されている。
【００１８】
端子本体部１６は、角筒形をなす箱状接続部１７と、箱状接続部１７の後端に連なる連結部１８とから構成されている。箱状接続部１７には、端子金具１５の前方から、雄形をなす相手側端子（図示省略）のタブが挿入されて接続されるようになっている。連結部１８は、底壁部１９の左右両側縁から一対の側壁部２０を立ち上げた形態である。連結部１８の底壁部１９は、箱状接続部１７の下壁部２１と面一状に連なっており、底壁部１９と下壁部２１は、端子本体部１６の基底部２２を構成している。
【００１９】
バレル部２３は、前後方向に細長い基板部２４と、基板部２４の幅方向（左右方向）における両側縁から周方向（端子金具１５長さ方向と交差する方向）に延出する対をなすカシメ片２７とから構成されている。図６，８に示すように、基板部２４は、その前端部が段差状に低くなるように屈曲した形状をなしている。これにより、基板部２４の前端部には低板部２５が形成され、基板部２４のうち低板部２５よりも後方の領域は、嵩上げ板部２６となっている。嵩上げ板部２６の前後方向の長さ寸法は、低板部２５の前後寸法よりも長く設定されいる。そして、低板部２５は、基底部２２の後端部に対し同じ高さで面一状に連なり、嵩上げ板部２６は、基底部２２に対して嵩上げされている。
【００２０】
バレル部２３は、アプリケータと称される自動機（図示省略）により、被覆電線１１（芯線１２）の前端部に圧着される。圧着工程では、基板部２４（嵩上げ板部２６）の後端部に載置された芯線１２の前端部に対し、一対のカシメ片２７が包囲するように曲げ変形させられる。これにより、図８に示すように、バレル部２３の内部には基板部２４と一対のカシメ片２７とで囲まれた圧着空間２８が構成されている。この圧着空間２８に収容された芯線１２の前端部と、端子金具１５とが導通可能に固着される。圧着状態では、被覆電線１１の前端部と端子金具１５がほぼ一直線状に連なった形態となる。
【００２１】
バレル部２３の圧着空間２８のうち芯線１２が収容されるのは後端部だけであり、圧着空間２８のうち芯線１２よりも前方の領域には、後述するモールド部３０の一部が充填される。バレル部２３の圧着空間２８は狭いので、モールド部３０の成形工程で溶融樹脂（図示省略）が圧着空間２８内に流入し易くするため手段が必要となる。図８に示すように、バレル部２３における芯線１２の前端よりも前方の領域に、一対のカシメ片２７の延出端部２７Ｅ同士の間隔を広げることによって連通部２９が形成されている。連通部２９により、圧着空間２８とバレル部２３の外周面とが連通する。連通部２９は、バレル部２３の上面における幅方向中央部に開口している。また、連通部２９の平面視における開口領域の幅寸法は、前後両端に亘って概ね一定である。
【００２２】
モールド部３０は、芯線１２に端子金具１５を圧着した後に成形される。モールド部３０の成形は、周知の金型（図示省略）内にバレル部２３の全体と、連結部１８の後端部と、被覆電線１１における絶縁被覆１３の前端部とを収容し、金型の内部に溶融樹脂（図示省略）を注入し、注入した溶融樹脂を固化（硬化）させることによって行われる。成形工程では、溶融樹脂の一部が連通部２９を介してバレル部２３の圧着空間２８内に流入する。
【００２３】
図６に示すように、成形後のモールド部３０は、バレル部２３の全体と、芯線１２のうちバレル部２３との圧着部を含む露出領域１４の全体と、被覆電線１１のうち絶縁被覆１３が残存する領域の前端部とを全周に亘り液密状に包囲している。また、モールド部３０の前端部の一部は、バレル部２３よりも前方において連結部１８の内部に収容されている。モールド部３０のうちバレル部２３の嵩上げ板部２６を覆う底部領域の下面（外面）は、端子本体部１６の基底部２２の下面（外面）とほぼ同じ高さ、詳しくは、基底部２２の下面より僅かに高い位置となっている。
【００２４】
図３に示すように、被覆電線１１の前端部と端子金具１５とモールド部３０が一体化された端子付き電線１０は、ハウジング３５の後方から端子収容室３６内に挿入されている。挿入状態では、端子金具１５の全体と、芯線１２の露出領域１４のうち後端部を除いた大部分とが端子収容室３６内に収容されている。したがって、被覆電線１１のうち絶縁被覆１３が芯線１２を包囲している領域は、その全体が端子収容室３６（ハウジング３５）の外部に配されている。
【００２５】
モールド部３０のうち端子収容室３６内に収容されて端子金具１５の全体と芯線１２の露出領域１４を液密状に包囲する領域は収容部３１となっている。モールド部３０のうち、端子収容室３６（ハウジング３５）の後方外部において芯線１２の露出領域１４の後端部と絶縁被覆１３の前端部とを液密状に包囲する領域は、突出部３２となっている。モールド部３０の突出部３２は、モールド部３０被覆電線１１のうちモールド部３０よりも後方の領域が上下に曲げられたときに、その曲げの影響を端子金具１５側へ伝わるのを抑制する機能を有している。
【００２６】
即ち、モールド部３０の突出部３２には、モールド部３０の上下方向の曲げ剛性を高める為の補強手段３３として、上下一対の補強部３４が形成されている。補強部３４は、突出量域のほぼ全長に亘り、絶縁被覆１３の上面側の厚さと絶縁被覆１３の下面側の厚さを、収容部３１の厚さよりも厚くした形態である。つまり、補強部３４（突出部３２）では、モールド部３０の高さ寸法が収容部３１よりも大きい。尚、補強部３４（突出部３２）の幅寸法は、収容部３１の幅寸法と同じである。
【００２７】
上述のように本実施例１のコネクタＡは、複数の端子収容室３６が形成されたハウジング３５と、各端子収容室３６に個別に挿入される複数の端子付き電線１０とを備えている。端子付き電線１０は、被覆電線１１と端子金具１５とモールド部３０とを備えている。被覆電線１１は、芯線１２と、芯線１２を包囲する絶縁被覆１３とを有していて、被覆電線１１の前端部では芯線１２が露出されている。端子金具１５の後端部には、絶縁被覆１３と非接触の状態で芯線１２の露出領域１４に対し包囲するように圧着されたバレル部２３が形成されている。即ち、バレル部２３は、被覆電線１１の前端部に圧着されている。
【００２８】
モールド部３０は、被覆電線１１の前端部（即ち、芯線１２のうちバレル部２３との圧着部を含む露出領域１４の全体と、絶縁被覆１３の前端部と）を液密状に覆っている。芯線１２はアルミニウム又はアルミニウム合金製であるのに対し、端子金具１５は銅又は銅合金製であることから、芯線１２と端子金具１５（バレル部２３）との接触部分における防食手段として、芯線１２と端子金具１５（バレル部２３）との接触部分を合成樹脂製のモールド部３０で液密状に包囲している。
【００２９】
絶縁被覆１３の外径は芯線１２の外径より大きいため、モールド部３０のうち絶縁被覆１３を包囲する領域（突出部３２）の外径は、モールド部３０のうち芯線１２を包囲する領域（収容部３１）よりも大きくなる。この点に鑑みて、本実施例１の端子付き電線１０を構成する端子金具１５の後端部には、絶縁被覆１３に対して包囲するように圧着されるインシュレーションバレル部を形成していない。そして、端子付き電線１０のうち端子収容室３６に収容するのは、端子金具１５の全体と、モールド部３０の前端部（即ち、モールド部３０のうち絶縁被覆１３の前端よりも前方の領域のみ）としている。但し、端子収容室３６内には、絶縁被覆１３は収容されていない。これにより、端子収容室３６の容積（高さ寸法や幅寸法）を拡大しなくても、モールド部３０のうち端子金具１５を包囲する領域全体を端子収容室３６内に収容することができた。
【００３０】
本実施例の端子金具１５に形成されていないインシュレーションバレル部は、ハウジング３５の外部における被覆電線１１の曲げの影響が端子金具１５と芯線１２との圧着部分に及ぶのを抑制する曲げ抑制機能を備えている。そのため、本実施例のモールド部３０には、防水機能だけでなく、インシュレーションバレル部に替わって曲げ抑制機能も求められる。そこで、本実施例の端子付き電線１０には、モールド部３０のうちハウジング３５外へ突出した突出部３２の剛性を端子金具掛けるための補強手段３３として補強部３４が設けられている。
【００３１】
補強部３４は、モールド部３０のうちハウジング３５外への突出部３２の上下方向の肉厚を、モールド部３０のうち端子収容室３６内に収容されている収容部３１の上下方向の肉厚よりも厚くした形態である。この構成によれば、モールド部３０の形状を複雑にしなくても、突出部３２の上下方向への曲げ剛性を高めることができる。このようにモールド部３０の突出部３２の曲げ剛性を高めたので、突出部３２が変形し難くなっている。これにより、モールド部３０の後方において被覆電線１１が曲げられても、その被覆電線１１の曲げの影響がバレル部２３に伝わる虞がない。
【００３２】
また、端子金具１５のバレル部２３は、基板部２４と一対のカシメ片２７とを備えて構成されている。基板部２４は、端子本体部１６の基底部２２に連なっており、カシメ片２７は、基板部２４の幅方向両側縁から対をなして延出している。バレル部２３は、基板部２４に載置された芯線１２に対し、その外周を一対ののカシメ片２７で包囲するようにして圧着接続されている。このバレル部２３はモールド部３０により全周に亘って包囲されているが、端子金具１５のうちバレル部２３よりも前方の端子本体部１６の大部分は、モールド部３０で覆われていない。バレル部２３を含む端子金具１５の全体は、ハウジング３５の端子収容室３６内に収容されている。
【００３３】
上記のようにモールド部３０は、バレル部２３の基板部２４は覆っているが、端子本体部１６の基底部２２は覆っていない。そのため、基底部２２の外面とモールド部３０のうちバレル部２３を覆う領域の外面との間に段差が生じることが懸念される。このような段差が生じると、端子金具１５を端子収容室３６に収容したときに、基底部２２の外面と端子収容室３６の内壁面との間に隙間が生じ、端子収容室３６内における端子金具１５の姿勢が不安定になることが懸念される。
【００３４】
そこで、バレル部２３の基板部２４を、端子本体部１６の基底部２２に対して底上げした形態としている。この構成によれば、端子本体部１６の剥き出しになっている基底部２２の下面と、モールド部３０のうちバレル部２３を包囲する領域の下面との間の高低差を小さく、又は解消できる。したがって、端子収容室３６の内壁の形状がフラットであっても、端子金具１５を安定した姿勢で端子収容室３６内に収容することができる。
【００３５】
また、端子金具１５の後端部に形成されているバレル部２３は、基板部２４の幅方向両側縁から対をなすカシメ片２７を延出させた形態であり、芯線１２の露出領域１４に対し、対をなすカシメ片２７の延出端部２７Ｅ同士を接近させた状態で包囲するように圧着されている。そして、芯線１２のうちバレル部２３との圧着部を含む露出領域１４の全体はモールド部３０によって液密状に覆われている。
【００３６】
そして、本実施例の端子付き電線１０は、芯線１２の露出領域１４の前端がカシメ片２７の前端よりも後方に配されている。そのため、モールド部３０の成形工程では、溶融樹脂をバレル部２３の圧着空間２８に隙間なく流入させ、芯線１２の前端面をモールド部３０で覆うことで防食機能の信頼性を高める必要がある。しかし、バレル部２３の圧着空間２８の前端の開口は狭いため、溶融樹脂が圧着空間２８内に流入し難いという問題がある。
【００３７】
そこで、本実施例では、バレル部２３に、芯線１２の前端よりも前方においてバレル部２３の圧着空間２８をバレル部２３の外周面に開口させる連通部２９を形成している。このような連通部２９を形成したことにより、モールド部３０を成形する際には、溶融樹脂が連通部２９を通過することによってバレル部２３の圧着空間２８に流入し易くなる。また、連通部２９は、対をなすカシメ片２７の延出端部２７Ｅの間に形成されているので、基板部２４を切欠する必要がなく、基板部２４の強度を低下させずに済む。
【００３８】
＜実施例２＞
次に、本発明を具体化した実施例２を図１０〜図１２を参照して説明する。本実施例２のコネクタＢは、端子付き電線４０を構成するモールド部４１を上記実施例１とは異なる構成としたものである。その他の構成については上記実施例１と同じであるため、同じ構成については、同一符号を付し、構造、作用及び効果の説明は省略する。
【００３９】
本実施例２のモールド部４１の収容部４２は、実施例１の収容部３１と同様の形態である。モールド部４１の突出部４３の外周には、複数のフランジ部４６と、補強手段４４としての複数の凸部４５とが形成されている。複数のフランジ部４６は、前後方向（モールド部４１の突出部４３の突出方向）に間隔を空けて並ぶように配されている。複数の凸部４５のうち、突出部４３の上下両面に配された凸部４５同士が対をなし、突出部４３の左右両側面に配された凸部４５同士が対をなしている。対をなす凸部は、前後に隣り合うフランジ部４６同士を連結している。
【００４０】
また、上下両面に配されて対をなす凸部４５と、左右両側面に配されて対をなす凸部４５は、前後方向において交互に配されている。したがって、前面に上下で対をなす凸部４５が連なっているフランジ部４６は、その後面に左右で対をなす凸部４５が連なっている。また、前面に左右で対をなす凸部４５が連なっているフランジ部４６は、その後面に上下で対をなす凸部４５が連なっている。このように、本実施例２のコネクタＢ及び端子付き電線４０は、モールド部４１の突出部４３の外周に凸部４５を形成して突出部の外周を凹凸形状にすることによって補強手段４４が構成されている。そして、この補強手段４４により、モールド部４１の突出部４３は上下方向と左右方向の曲げ剛性が高められている。
【００４１】
＜実施例３＞
次に、本発明を具体化した実施例３を図１３〜図１５を参照して説明する。本実施例３のコネクタＣは、端子付き電線５０を構成するモールド部５１を上記実施例１とは異なる構成としたものである。その他の構成については上記実施例１と同じであるため、同じ構成については、同一符号を付し、構造、作用及び効果の説明は省略する。
【００４２】
本実施例３のモールド部５１の突出部５２の上下寸法はモールド部５１の収容部５３の上下寸法より大きく、突出部５２の左右寸法は収容部５３の左右寸法より大きく設定されている。つまり、突出部５２の上面部は収容部５３の上面部よりも上方へ突出し、突出部５２の下面部は収容部５３の下面部よりも下方へ突出し、突出部５２の左側面部は収容部５３の左側面部よりも左方へ突出し、突出部５２の右側面部は収容部５３の右側面部よりも右方へ突出している。突出部５２の上下両面部と左右両側面部は、モールド部５１の曲げ剛性を高めるための補強手段５４として機能する。
【００４３】
また、突出部５２の上面部と左側面部には、夫々、前後方向に延びた形態の溝５５が形成されている。突出部５２の下面部と右側面部には、夫々、前後方向に延びた形態のリブ５６が突出形成されている。溝５５の断面形状は、入口が狭く、奥側が略円形に拡がった形状をなしている。リブ５６の断面形状は、幅狭の基端部と、基端部の幅よりも大径の略円形部とを有する形状である。溝５５とリブ５６は、互いに前後方向に相対変位することによって凹凸嵌合されるようになっている。
【００４４】
複数の端子付き電線５０を、ハウジング３５の後方から上下に隣り合う端子収容室３６と、左右に隣り合う端子収容室３６に挿入すると、図１３に示すように、上下に隣り合うモールド部５１間では、上側に位置するモールド部５１の下面部と下側に位置するモールド部５１の上面部とが面当たり状態で当接する。この当接作用により、この上下に隣り合う２つの端子付き電線５０の上下方向の曲げ剛性が高められる。また、上下に隣り合うモールド部５１同士では、一方のモールド部５１の溝５５と他方のモールド部５１のリブ５６とが嵌合状態で連結されるので、上下方向の曲げ剛性が更に高められている。
【００４５】
同様に、左右に隣り合うモールド部５１間では、左側に位置するモールド部５１の右側面部と右側に位置するモールド部５１の左側面部とが面当たり状態で当接する。この当接作用により、この左右に隣り合う２つの端子付き電線５０の左右方向の曲げ剛性が高められる。また、左右に隣り合うモールド部５１同士では、一方のモールド部５１の溝５５と他方のモールド部５１のリブ５６とが嵌合状態で連結されるので、左右方向の曲げ剛性が更に高められている。
【００４６】
本実施例３のコネクタＣでは、ハウジング３５に、複数の端子収容室３６が上下方向及び左右方向に並列して配置されており、隣り合うモールド部５１の突出部５２の外面同士を当接させることで、補強手段５４が構成されている。この構成によれば、モールド部５１の形状を複雑にしなくても、モールド部５１の剛性を高めることができる。
【００４７】
また、隣り合うモールド部５１の突出部５２の外面同士が、溝５５とリブ５６とによる凹凸嵌合によって連結されているので、モールド部５１の曲げ剛性が、より高められている。また、隣り合うモールド部５１の外面同士を連結する溝５５とリブ５６は、前後方向に延びた形態であるから、隣り合う複数の端子付き電線５０を、個別に端子収容室３６に挿入することができる。また、図１５に示すように、ハウジング３５の外部で溝５５とリブ５６とを嵌合することにより、隣り合う端子付き電線５０同士を連結し、この連結した複数の端子付き電線５０をワンアクションで複数の端子収容室３６に挿入することも可能である。
【００４８】
＜他の実施例＞
本発明は上記記述及び図面によって説明した実施例に限定されるものではなく、例えば次のような実施例も本発明の技術的範囲に含まれる。
（１）上記実施例１〜３では、被覆電線の芯線をアルミニウム製又はアルミニウム合金製としたが、芯線の材料は、アルミニウムやアルミニウム合金に限らず、銅や銅合金等の他の金属であってもよい。
（２）上記実施例１〜３では、端子金具を銅製又は銅合金製としたが、端子金具の材料は、銅や銅合金に限らず、アルミニウムやアルミニウム合金等の他の金属であってもよい。
（３）上記実施例２では、複数の凸部を前後方向において分断して配した形態であるが、凸部は、モールド部の突出部の全長に亘って前後方向に連続した形態であってもよい。
（４）上記実施例２の凸部による補強手段は、実施例１，３に適用することができる。
（５）上記実施例３では、隣り合うモールド部の突出部同士が、リブと溝との嵌合によって連結されているが、隣り合うモールド部の突出部同士は、単純に面当たり状態で当接しているだけであってもよい。
（６）上記実施例１〜３では、端子金具には、絶縁被覆に圧着されるインシュレーションバレル部は形成されていないが、本発明は、端子金具にインシュレーションバレル部が形成されている場合にも適用できる。
（７）上記実施例１〜３では、端子収容室内には、被覆電線の絶縁被覆が収容されていないが、絶縁被覆の前端部が端子収容室内に収容されていてもよい。
【符号の説明】
【００４９】
Ａ，Ｂ，Ｃ…コネクタ
１０，４０，５０…端子付き電線
１１…被覆電線
１２…芯線
１３…絶縁被覆
１４…芯線の露出領域
１５…端子金具
２３…バレル部
３０，４１，５１…モールド部
３５…ハウジング
３６…端子収容室
３１，４２，５３…収容部
３２，４３，５２…突出部
３３，４４，５４…補強手段
４５…凸部
５５…溝
５６…リブ
【図１】
2017076455.tif 000003
【図２】
2017076455.tif 000004
【図３】
2017076455.tif 000005
【図４】
2017076455.tif 000006
【図５】
2017076455.tif 000007
【図６】
2017076455.tif 000008
【図７】
2017076455.tif 000009
【図８】
2017076455.tif 000010
【図９】
2017076455.tif 000011
【図１０】
2017076455.tif 000012
【図１１】
2017076455.tif 000013
【図１２】
2017076455.tif 000014
【図１３】
2017076455.tif 000015
【図１４】
2017076455.tif 000016
【図１５】
2017076455.tif 000017